(57)【特許請求の範囲】
【請求項１】
流体の流路を切り換えるために弁体が駆動される切換弁部と、前記弁体を駆動するために電気的に制御されるアクチュエータ部とを備えてなる電磁弁に設けられ、前記アクチュエータ部の制御から独立して前記弁体を強制的に駆動するために操作される手動装置であって、
前記操作部材はその一部が前記切換弁部又は前記アクチュエータ部の外方へ突き出して配置され、前記突き出した部分を外部から操作されることにより回動操作され、前記弁体を強制的に駆動する作動位置と、前記弁体を強制的に駆動しない非作動位置とに選択的に配置されることと、
前壁と一対の側壁とを有する断面チャネル状をなし、前記一対の側壁を前記切換弁部の幅方向に設けた一対の支軸に回動可能に連結して前記操作部材を覆うためのカバーと、前記カバーは前記切換弁部に設けられた突起と係合する凹部を有し、前記操作部材を覆う位置と前記操作部材を露出させる位置とに選択的に配置され、前記操作部材を覆う位置に配置されたときに前記凹部が前記突起に係合することと
を備えたことを特徴とする電磁弁の手動装置。
【請求項２】
請求項１に記載の電磁弁の手動装置において、
前記操作部材は、軸部と、その軸部の一端に設けられた摘みとを含み、前記軸部は前記切換弁部又は前記アクチュエータ部の中に配置され、前記摘みは前記切換弁部又は前記アクチュエータ部の外に配置される操作部材と、前記摘みは前記軸部の半径方向に延びるレバーを含むことと、
前記切換弁部は前記摘みの外周の一部を包囲するように突壁が設けられ、前記突壁は前記切換弁部の幅方向と直交する方向に開口することと、
前記レバーを前記軸部を中心として前記突壁の開口部内で回動させ、前記突壁の一側に前記レバーを係合させることにより前記操作部材を前記作動位置に配置し、前記突壁の他側に前記レバーを係合させることにより前記操作部材を前記非作動位置に配置することと、
前記カバーは、前記操作部材を前記非作動位置に配置したときには前記レバーと干渉することなく前記操作部材を覆う位置に配置され、前記操作部材を前記作動位置に配置したときには前記レバーと干渉して前記覆う位置への配置が規制されることと
を備えることを特徴とする電磁弁の手動装置。
【請求項３】
請求項１又は請求項２に記載の電磁弁の手動装置において、
前記電磁弁は複数の電磁弁が互いに隣接して配置されるものであり、前記操作部材はそれら個々の電磁弁に対して個別に設けられ、前記カバーは少なくとも一つの電磁弁毎に一つずつ設けられることを特徴とする電磁弁の手動装置。
【発明の詳細な説明】
【０００１】
【発明の属する技術分野】
この発明は、流体の流路を切り換えるために弁体が駆動される切換弁部と、その弁体を駆動するために電気的に制御されるアクチュエータ部とを備えた電磁弁に係る。特に詳しくは、上記電磁弁に設けられ、アクチュエータ部の制御から独立して弁体を強制的に駆動するために操作される手動装置に関する。
【０００２】
【従来の技術】
従来より、気体の流路を切り換えるために使用される電磁弁がある。図３２，３３はこの種の電磁弁８１，８２の一例を示す。これらの電磁弁８１，８２は、スプール弁を内蔵する切換弁部８３と、そのスプール弁を空気圧（パイロット圧）により間接的に動かしたり、或いは作動ロッドにより直接的に動かしたりすためのアクチュエータ部８４とを有する。この種のアクチュエータ部８４は電気的に制御されるソレノイドを内蔵する。このソレノイドがオン・オフされることにより、切換弁部８３に対するパイロット圧の供給、或いはロッド力の供給が切り換えられ、スプール弁が駆動される。これにより、電磁弁８１，８２における気体の流路が切り換えられる。
【０００３】
一般に、この種の電磁弁８１，８２は、空気圧回路を含むある種の機械装置に適用される。そして、電磁弁８１，８２は、そのソレノイドが所定のシーケンスプログラム等に基づいて自動制御される。その一方で、上記機械装置の組立調整、或いは、そのメンテナンスの際には、電磁弁８１，８２を、シーケンスプログラムによる制御から独立して任意に駆動させる必要がある。そこで、この種の電磁弁８１，８２は、図３２，３３に示すように、ソレノイドの制御から独立してスプール弁を強制的に駆動するために操作される手動装置８５，８６を備える。
【０００４】
図３２に示すように、この電磁弁８１の手動装置８５は、切換弁部８３に設けられた手動ボタン８７を含む。このボタン８７は、切換弁部８３の凹み８８の中に配置され、そのボタン８７が切換弁部８３の上面と同一面をなすように配置される。このボタン８７は、スプール弁を強制的に駆動させるために下方へ押圧される。このとき、ボタン８７が凹み８８の中に没入することから、他の障害物との接触によるボタン８８の誤操作が防止される。
【０００５】
図３３に示すように、この電磁弁８２の手動装置８６は、切換弁部８３の上面に外部へ露出して設けられた手動摘み８９を含む。この摘み８９は、スプール弁を強制的に駆動させる作用位置と、スプール弁を強制的に駆動させない非作動位置との間で回動操作される。摘み８９は各位置において、自己保持的にロックされる。摘み８９が作動位置に配置されたとき、摘み８９が同位置に自己保持されることから、障害物との接触による摘み８９の誤操作が防止される。
【０００６】
【発明が解決しようとする課題】
ところが、上記従来の電磁弁８１，８２では、手動装置８５，８６につき、その誤操作を防止するための工夫が一応なされているものの、ボタン８７や摘み８９が外観の上で露出していることには変わりない。このため、使用者がボタン８７や摘み８９に誤って触るおそれがある。この場合、手動装置８５，８６が作動して、電磁弁８１，８２が所定のシーケンスプログラムとは無関係に駆動されるおそれがある。特に、電磁弁８２の手動装置８６では、摘み８９が切換弁部８３の上面から上方へ突出していることから、摘み８９が誤操作されるおそれが高い。このため、誤操作を防止するためには、摘み８９の操作位置を自己保持させるために、摘み８９を比較的強めにロックする必要がある。摘み８９を強めにロックした場合には、そのロックを解除するための操作が更に必要となり、摘み８９の操作性が犠牲になる。或いは、ボタン８７や摘み８９の誤操作を回避するために、それらを相対的に小さくすることも考えられるが、この場合にもボタン８７や摘み８９の操作性が良くない。
【０００７】
加えて、従来の手動装置８５，８６は、ボタン８７や摘み８９が操作されているのか否かが一見しては分かり難くいものであった。特に多数の電磁弁８１，８２が互いに並列に配置されている場合には、ボタン８７や摘み８９の操作の有無が分かり難いばかりでなく、操作された電磁弁８１，８２を特定することも容易ではない。
【０００８】
この発明は前述した事情に鑑みてなされたものであって、その第１の目的は、誤操作を確実に防止することを可能にした電磁弁の手動装置を提供することにある。
【０００９】
この発明の第２の目的は、第１の目的に加え、操作の有無を容易に判別することを可能にした電磁弁の手動装置を提供することにある。
【００１０】
この発明の第３の目的は、第１の目的又は第２の目的に加え、操作性の向上を図ることを可能にした電磁弁の手動装置を提供することにある。
【００１１】
【課題を解決するための手段】
上記第１の目的を達成するために第１の発明は、流体の流路を切り換えるために弁体が駆動される切換弁部と、弁体を駆動するために電気的に制御されるアクチュエータ部とを備えてなる電磁弁に設けられ、アクチュエータ部の制御から独立して弁体を強制的に駆動するために操作される手動装置であって、弁体を駆動するために外部から操作される操作部材と、その操作部材を覆うためのカバーと、そのカバーは操作部材を覆う位置と、操作部材を露出させる位置とに選択的に配置されることとを備えたことを趣旨とする。
【００１２】
上記第１の発明の構成によれば、アクチュエータ部が電気的に制御されることにより、弁体が駆動され、切換弁部における流体の流路が切換られる。一方、手動装置の操作部材が外部から操作されることにより、弁体がアクチュエータ部の制御から独立して弁体が強制的に駆動され、切換弁部における流体の流路が切り換えられる。
【００１３】
ここで、カバーが操作部材を覆う位置に配置されることにより、操作部材の外部からの操作が阻止される。カバーが操作部材を覆わない位置に配置されることにより、操作部材の外部からの操作が許容される。従って、弁体を強制的に駆動するために操作部材が操作される場合と、その強制駆動を解除するために操作部材が操作される場合とに拘わらず、操作部材の操作がカバーにより規制される。
【００１４】
上記第２の目的を達成するために第２の発明は、第１の発明の構成において、操作部材は弁体を強制的に駆動するための作動位置と、弁体を強制的に駆動させない非作動位置とに選択的に配置されることと、カバーは、操作部材が非作動位置に配置されたときに操作部材を覆う位置に配置され、操作部材が作動位置に配置されたときに操作部材に係合して覆う位置への配置が規制されることとを備えたことを趣旨とする。
【００１５】
上記第２の発明の構成によれば、第１の発明の作用に加え、操作部材が非作動位置に配置されたとき、カバーが操作部材を覆う位置に配置される。このため、弁体を強制的に駆動させることのない第１の設定状態において、操作部材の操作がカバーにより規制される。一方、操作部材が作動位置に配置されたとき、カバーが操作部材に係合し、上記の覆う位置への配置が規制される。このため、弁体を強制的に駆動させる第２の設定状態においては、その設定状態が上記第１の設定状態とカバーの配置によって区別される。
【００１６】
上記第３の目的を達成するために第３の発明は、第１又は第２の発明の構成において、操作部材はその一部が切換弁部又はアクチュエータ部の外方へ突出して配置され、外部から操作されるものであることを趣旨とする。
【００１７】
上記第３の発明の構成によれば、第１又は第２の発明の作用に加え、操作部材が切換弁部又はアクチュエータ部の外方へ突出して配置され、外部から操作されることから、操作部材の操作が容易となる。この操作部材がカバーに覆われるときには、その操作部材の誤操作が阻止されることから、このときの誤操作を回避するために操作部材を触り難い小さなものとする必要がない。
【００１８】
上記第３の目的を達成するために第４の発明は、第１又は第２の発明の構成において、操作部材は軸部と、その軸部の一端に設けられた摘みとを含み、軸部は切換弁部又はアクチュエータ部の中に配置され、摘みは切換弁部又はアクチュエータ部の外に配置されて外部から回動操作されるものであり、摘みは、軸部を中心にその半径方向へ延びるレバーを更に含むことを趣旨とする。
【００１９】
上記第４の発明の構成によれば、第１又は第２の発明の作用に加え、操作部材の摘みは外部から回動操作されるものであり、その摘みはレバーを操作することにより回動される。従って、摘みの操作がレバーにより容易化される。その一方で、摘みがカバーに覆われたときには、その誤操作が阻止される。このため、摘みの誤操作を回避するために摘みを触り難い小さなものとする必要がない。
【００２０】
上記第１又は第２の目的を達成するために第５の発明は、第１乃至第４の発明の何れか一つの構成において、電磁弁は複数の電磁弁が互いに隣接して配置されるものであり、操作部材は個々の電磁弁に対して個別に設けられ、カバーは少なくとも一つの電磁弁毎に一つずつ設けられることを趣旨とする。
【００２１】
上記第５の発明の構成によれば、第１乃至第４の発明の何れか一つの作用に加え互いに隣接して配置された複数の電磁弁の間で、個々の電磁弁に操作部材が個別に設けられ、少なくとも一つの電磁弁毎に一つずつのカバーが設けられる。ここで、特定の電磁弁につき、その操作部材が操作されたときに、対応するカバーの配置を、他の電磁弁のカバーの配置と異ならせる。これにより、カバーの配置が目印となり、複数の電磁弁の中で、操作部材が操作された電磁弁が視覚的に容易に特定される。
【００２２】
【発明の実施の形態】
（第１の実施の態様）
以下、本発明に係る電磁弁の手動装置を具体化した第１の実施の形態を図１〜図１０を参照して詳細に説明する。
【００２３】
図１，２はこの実施の形態の電磁弁１の外観を示す。図３はこの電磁弁１の全体構造を示し、図４はその構造の一部を示す。図１，２に示すように、電磁弁１は切換弁部２と、その一側に設けられたアクチュエータ部３とを備える。図３に示すように、切換弁部２は流体（気体）の流路を切り換えるための弁体としてスプール弁４を有する。アクチュエータ部３はスプール弁４を駆動するために電気的に制御されるソレノイド弁５を有する。切換弁部２はその外部に露出して設けられた手動装置６を更に有する。
【００２４】
手動装置６は、スプール弁４をアクチュエータ部３の制御から独立して強制的、かつ任意に駆動するために操作される。手動装置６は本発明の操作部材としての手動ピン７と、その手動ピン７を覆うためのカバー８とを備える。手動ピン７は、スプール弁４を駆動するために切換弁部２の外部から操作される。カバー８は切換弁部２に対してスライド可能に設けられる。これにより、カバー８は、図２に示すように手動ピン７を覆う位置と、図１に示すように手動ピン７を露出させる位置とに選択的に配置される。
【００２５】
図１〜４に示すように、切換弁部２はスプールハウジング１１と、その両端に配置された第１及び第２のピストンハウジング１２，１３とを有する。スプールハウジング１１は、その内部にスプール弁４を往復動可能に収容する。スプール弁４はその軸線方向へ所定のストロークをもって移動可能である。第１のピストンハウジング１２はその内部に第１の加圧室１４を含む。第２のピストンハウジング１３はその内部に第２の加圧室１５を含む。各加圧室１４，１５は、それぞれスプール弁４の両端に対応して位置する。各加圧室１４，１５には、スプール弁４を駆動するためのパイロット圧がそれぞれ供給される。
【００２６】
スプール弁４はその軸上に、互いに離間して配置された複数の弁部４ａを有する。各弁部４ａの外径は軸のそれよりも大きい。切換弁部２は給気ポート１６、一対の排気ポート１７，１８、第１のポート１９及び第２のポート２０を有する。スプール弁４が軸方向へ移動することにより、給気ポート１６に供給される空気の流路が、第１のポート１９と第２のポート２０との間で切り換えられる。これと同時に、第２又は第１のポート２０，１９に導入される排気の流れが、排気ポート１８と排気ポート１７との間で切り換えられる。
【００２７】
ソレノイド弁５は、一つのソレノイド２１及び上下一対の弁体２２を含む。ソレノイド２１は弁体２２を駆動する。ソレノイド弁５は第２の加圧室１５に対するパイロット圧の供給を切り換える。
【００２８】
スプール弁４はその両端に、同弁４を押圧するための第１のピストン２３及び第２のピストン２４を有する。第１のピストン２３は略円筒状をなし、スプール弁４に一体的に設けられ、第１の加圧室１４に対応して配置される。第２のピストン２４は略円筒状をなし、スプール弁４と一体的に設けられ、第２の加圧室１５に対応して配置される。第１のピストン２３はパイロット圧を受けるための第１の受圧面２３ａを有する。第２のピストン２４はパイロット圧を受けるための第２の受圧面２４ａを有する。第２の受圧面２４ａは第１の受圧面２３ａよりも若干大きく設定される。第１の加圧室１４に設けられたバネ１０は第１のピストン２３を介してスプール弁４を押圧する。
【００２９】
スプールハウジング１１はその内部に、給気ポート１６に連通する給気通路２５を有する。この給気通路２５はスプール弁４と平行に延びる。この給気通路２５は、その中央で給気ポート１６に向かって開口し、その両端で各ピストンハウジング１２，１３に向かって開口する。
【００３０】
第２のピストンハウジング１３には、前述した手動ピン７が設けられる。即ち、ハウジング１３は垂直方向に延び、上方へ開口するピン穴２６を含む。このピン穴２６には手動ピン７が上下動可能、かつその軸線を中心に回動可能に組み込まれる。手動ピン７は軸部７ａと、その軸部７ａの上端に位置する摘み７ｂと、その摘み７ｂに設けられたレバー７ｃとを有する。軸部７ａはピン穴２６の中に配置される。摘み７ｂはハウジング１３の外に配置され、外部から操作される。レバー７ｃは軸部７ａを中心にその半径方向へ延びる。摘み７ｂの外周には案内溝７ｄが設けられる。ハウジング１３には案内溝７ｄに係合する係合ピン２７が設けられる。案内溝７ｄと係合ピン２７との協働により、手動ピン７の上下動と回動とがそれぞれ所定の範囲内で規制される。
【００３１】
第１のピストンハウジング１２は対応する第１の加圧室１４に連通する連通路２８を有する。第２のピストンハウジング１３はソレノイド弁５に対する導入路２９、導出路３０，３１をそれぞれ有する。導入路２９及び導出路３１はピン穴２６と、ソレノイド弁５の導入ポート５ａ及び導出ポート５ｃとの間をそれぞれ連通させる。導出ポート３０はソレノイド弁５の導出ポート５ｂと、スプールハウジング１１の排気ポート１８との間を連通させる。第２のピストンハウジング１３はピン穴２６に連通する連通路３２を有する。連通路３２は給気通路２５に連通する。第２のピストンハウジング１３は対応する第２の加圧室１５とピン穴２６との間を連通させる孔３３を有する。手動ピン７はその軸部７ａ上にシール部７ｅ及び弁部７ｆを有する。シール部７ｅはピン穴２６から外部への空気の洩れを防止する。シール部７ｅの下側に位置する弁部７ｆは、ピン穴２６を介して、孔３３と導出路３１との間を開閉する。ピン穴２６の底部には、手動ピン７を上方へ付勢するバネ３４が設けられる。
【００３２】
図６は第２のピストンハウジング１３の平面図を示す。図４及び図６に実線で示すように、手動ピン７がバネ３４の付勢力に抗してピン穴２６の底部まで押し下げられたとする。この状態では、弁部７ｆにより、孔３３と導出路３１との間が閉じられる。同状態において、ピン穴２６を介し、連通路３２と孔３３との間が開かれる。この状態では、手動ピン７が係合ピン２７により係止され、その位置で軸方向への移動と、軸周りの回動とが規制される。
【００３３】
一方、手動ピン７が上記押し下げ状態から略９０度だけ回動され、図３及び図６に二点鎖線で示すように、手動ピン７がバネ３４の付勢力に基づいて上方へ押し上げられたとする。この状態では、弁部７ｆにより、孔３３と導出路３１との間が開かれる。併せて、同状態において、弁部７ｆにより、連通路３２と孔３３との間が閉じられる。
【００３４】
スプールハウジング１１において、給気ポート１６は常に給気通路２５に連通する。給気通路２５は連通路２８を介して常に第１の加圧室１４に連通する。給気通路２５は連通路３２及びピン穴２６を介してソレノイド弁５の導入ポート５ａに連通する。従って、図３に示すように、手動ピン７が上方へ押し上げられた状態では、給気ポート１６が給気通路２５、連通路３２、ピン穴２６及び導入路２９を介してソレノイド弁５の導入ポート５ａに連通する。第２のピストンハウジング１３において、導出路３１はピン穴２６を介して孔３３に連通する。このため、給気ポート１６から給気通路２５に導入される空気圧は、パイロット圧として、第１の加圧室１４に導入されると共に、ソレノイド弁５を介して第２の加圧室１５に導入される。この場合、ソレノイド弁５が励磁（オン）され、開かれることにより、第２の加圧室１５にパイロット圧が供給される。これにより、反対側のバネ１０の付勢力に抗してスプール弁４が第２のピストン２４により押圧され、その軸方向へ移動する。ソレノイド弁５が消磁（オフ）され、閉じられることにより、第２の加圧室１５へのパイロット圧の供給が遮断される。これにより、スプール弁４が、バネ１０の付勢力に基づいて第１のピストン２３により押圧され、図３に示すように、その移動端の位置、即ち復帰位置に配置される。
【００３５】
一方、図４に示すように、手動ピン７が押し下げられた状態では、給気ポート１６は給気通路２５、連通路３２、ピン穴２６及び孔３３を介して第２の加圧室１５に連通する。導出路３１と孔３３との間は、弁部７ｆにより遮断される。従って、給気ポート１６から給気通路２５に導入される空気圧は、パイロット圧として、第２の加圧室１５に直接的かつ強制的に導入される。この場合、ソレノイド弁５のオン・オフ制御に拘わらず、第２の加圧室１５には、パイロット圧が常時供給される。これにより、反対側のバネ１０の付勢力に抗してスプール弁４が第２のピストン２４により押圧され、その軸方向へ移動する。つまり、スプール弁４はソレノイド弁５のオン・オフ制御に拘わらず強制的に動かされることになる。
【００３６】
ピストンハウジング１３の上側面に設けられたカバー８は、図２に示すように摘み７ｂを覆う位置と、図１に示すように摘み７ｂを覆わずに露出させる位置との間でスライド可能である。
【００３７】
次に、このカバー８及びその取付構造について説明する。図５は第２のピストンハウジング１３の分解斜視図を示す。図６はこのピストンハウジング１３の平面図を示す。図７はハウジング１３を図６の矢印Ａの方向から視た図である。図８はカバー８を示す側面図である。図９はカバー８を図８の矢印Ｂの方向から視た図である。
【００３８】
ここで、図５〜７に示すように、ピストンハウジング１３はその上側面において、摘み７ｂを挟んで互いに平行に延びる一対の案内溝４１を有する。両案内溝４１はその断面が楔形状をなす。両案内溝４１の間で、ハウジング１３の上面には段部１３ａが設けられる。この段部１３ａにおいて、一方の案内溝４１の一端の近傍には、凹部１３ｂが設けられる。
【００３９】
図５，８，９に示すように、カバー８は断面チャネル状をなし、その前後両側が解放される。カバー８はその両側下端に、互いに平行に延びる一対の案内レール４２を有する。これらレール４２の断面形状は、上記案内溝４１の断面形状に対応する。これら案内レール４２が、案内溝４１に嵌め込まれる。カバー８はその内壁に、凹部１３ｂに対応する係合ピン８ａを有する。カバー８はその上面に、断面鋸刃状をなす滑り止め８ｂを有する。
【００４０】
従って、カバー８の滑り止め８ｂに使用者が指を当てて水平に力を加えることにより、カバー８は案内溝４１に沿って移動する。この移動により、カバー８が、図２に示すように摘み７ｂを覆う位置と、図１に示すように摘み７ｂを露出させる位置とに選択的に配置される。つまり、カバー８が開けられ、或いは閉じられる。
【００４１】
以上説明したようにこの実施の形態の電磁弁１の構成によれば、図３に示すように手動ピン７が押し上げられた状態において、ソレノイド弁５が電気的にオン・オフ制御される。例えば、ソレノイド弁５が所定のシーケンスプログラムに基づいてオン・オフ制御されるとする。このとき、第２の加圧室１５に対するパイロット圧の供給が制御される。これにより、スプール弁４が駆動・停止され、切換弁部２における気体の流路、即ち各ポート１６〜２０の間の空気の流れが、シーケンスプログラムに従って切り換えられる。
【００４２】
一方、手動ピン７がその摘み７ｂにより外部から操作され、図４に示すように、手動ピン７が押し下げられたとする。このとき、第２の加圧室１５にはパイロット圧が強制的に供給される。これにより、ソレノイド弁５のオン・オフ制御から独立してスプール弁４が強制的に駆動され、各ポート１６〜２０の間の空気の流れが切り換えられる。
【００４３】
ここで、外部からの摘み７ｂの操作は、カバー８が開けられたときに許容される。このため、手動ピン７を操作するには、図１に示すように、カバー８をアクチュエータ部３へ向かってスライドさせる。これに対し、図２に示すように、外部からの摘み７ｂの操作は、カバー８が閉じられたときに阻止される。
【００４４】
従って、使用者が摘み７ｂを操作するごとにカバー８を一旦開け、その操作の完了後にカバー８を閉じる。これにより、スプール弁４を強制的に駆動するために摘み７ｂが操作されたときと、その強制的な駆動を解除するために摘み７ｂが操作されたときとに拘わらず、外部からの摘み７ｂの操作がカバー８により規制される。この結果、使用者が誤って摘み７ｂに触るおそれがなく、手動ピン７の誤操作を確実に防止することができる。このため、手動ピン７の誤操作に基づく電磁弁１の誤作動の発生を確実に防止することができる。
【００４５】
この実施の形態では、カバー８が閉じられたときに、ピン８ａと凹部１３ｂとが互いに係合してカバー８の移動がある程度規制される。このため、電磁弁１の振動などに伴ってカバー８ががたついたり、独りでに開いたりすることがない。その意味でも、カバー８の振動騒音や手動ピン７の誤操作を防止することができる。
【００４６】
この実施の形態では、摘み７ｂがピストンハウジング１３の上面から上方へ突出して配置される。そして、カバー８が開けられた状態において、その摘み７ｂが外部から操作される。従って、摘み７ｂが突出している分だけその操作が容易になる。このため、特別な治具を使うことなく摘み７ｂを指先で容易に操作することができる。このことは、図３２に示す従来の凹み８８に設けられたボタン８７との比較においても明らかである。凹み８８の中のボタン８７は押し難い傾向にあるが、これに対して、外方へ突出した摘み７ｂは回し易いものである。この摘み７ｂがカバー８に覆われるときには、その誤操作が阻止されることから、誤操作を回避するために、あえて摘み７ｂを触り難い小さなものにする必要がない。つまり、操作部材としての摘み７ｂを相対的に大きくして触り易く操作のし易いものにすることができ、その摘み７ｂの誤操作についてはカバー８により確実に回避することができる。
【００４７】
この実施の形態では、摘み７ｂがレバー７ｃを有することから、摘み７ｂの操作がレバー７ｃにより更に容易化される。つまり、摘み７ｂをレバー７ｃを使って容易に回動操作することができる。その一方で、摘み７ｂがカバー８に覆われたときには、その摘み７ｂの操作がカバー８により確実に阻止される。この意味でも、図３２，３３に示す従来の手動ボタン８７、手動摘み８９とは異なり、手動装置６についての操作性の向上と、その誤動作（誤操作）の回避との両立を図ることができる。
【００４８】
この実施の形態の電磁弁１は、単独で使用される場合以外に、図１０に示すように、多数の電磁弁１Ａ，１Ｂ，１Ｃ，１Ｄ，１Ｅ，１Ｆがマニホールドベース４３上に並列に配置されて使用される場合もある。この場合、個々の電磁弁１Ａ〜１Ｆのそれぞれが個別に手動ピン７及びカバー８を備える。ここで、図１０に示すように、ある一つの電磁弁１Ｃにつき、その手動ピン７を操作するために、カバー８が開けられたとする。この場合、その電磁弁１Ｃのカバー８は、他の電磁弁１Ａ，１Ｂ，１Ｄ〜１Ｆのカバー８の配置と異なる状態になる。このため、その電磁弁１Ｃのカバー８に係る他と異なる配置が目印となり、多数の電磁弁１Ａ〜１Ｆの中で、手動ピン７が操作されるところの電磁弁１Ｃが視覚的に容易に特定される。つまり、多数の電磁弁１Ａ〜１Ｆの中で、一見しただけでは摘み７ｂが操作されたか否かが分かり難い一つの電磁弁１Ｃにつき、カバー８の配置の違いによって操作の有無が明らかに表示され、区別される。この意味で、多数の電磁弁１Ａ〜１Ｆを並列使用する場合において、手動ピン７が操作された電磁弁１Ｃを容易に判別することができ、ひいては手動ピン７の操作性を向上させることができる。
【００４９】
（第２の実施の態様）
この発明に係る電磁弁の手動装置を具体化した第２の実施の形態を図１１〜図１９に従って説明する。尚、この実施の形態において、前記第１の実施の形態と同一の構成部材については、同一の符号を付して説明を省略する。従って、以下には主に第１の実施の形態と異なる点を中心に説明する。
【００５０】
図１１，１２はこの実施の形態の電磁弁５１の外観を示す。この実施の形態の手動装置５２は本発明の操作部材としての手動ピン５３と、その手動ピン５３を覆うためのカバー５４とを備える。カバー５４は切換弁部２に対して回動可能に設けられる。カバー５４は、回動により、図１２に示すように手動ピン５３を覆う位置と、図１１に示すように手動ピン５３を露出させる位置とに選択的に配置される。
【００５１】
図１３は手動装置５２の分解斜視図を示す。図１４はピストンハウジング１３の平面図を示す。図１５は同ハウジング１３の側面図を示す。図１３〜１５に示すように、手動ピン５３はその上端に位置する摘み５３ａと、摘み５３ａから半径方向へ延びるレバー５３ｂとを有する。ピストンハウジング１３はその段部１３ａの上側面に突壁５５を有する。この突壁５５は、摘み５３ａの外周の一部を包囲するように設けられる。この突壁５５は、図１４に示すように、手動ピン５３の回動範囲を規制するために摘み５３ａのレバー５３ｂに係合する。即ち、手動ピン５３は、図１４に実線で示すようにレバー５３ｂが突壁５５の一側に係合する作動位置と、図１４に二点鎖線で示すようにレバー５３ｂが突壁５５の他側に係合する非作動位置との間で切り換え配置され、両位置の間で手動ピン５３の回動が規制される。レバー５３ｂが上記作動位置に配置されることにより、アクチュエータ部３におけるソレノイド弁５のオン・オフ制御から独立してスプール弁４が強制的に駆動される。
【００５２】
突壁５５は、互いに同一軸線上に配置された一対の支軸５５ａを有する。段部１３ａは一対の突起１３ｃを有する。ピストンハウジング１３は、突壁５５に隣接して設けられ、別の段部１３ｄを有する。この段部１３ｄは前記段部１３ａよりも大きい高さを有する。この段部１３ｄはその上面に一対の凹部１３ｅを有する。これら凹部１３ｅは各支軸５５ａに対応してそれらの下方に位置する。
【００５３】
図１６はカバー５４の断面を示す。図１７はカバー５４を図１６の矢印Ｃの方向から視た図を示す。図１８はカバー５４を図１６の矢印Ｄの方向から視た図を示す。図１３，１６〜１８に示すように、カバー５４は断面チャネル状をなし、その前側が閉塞され、その後側は解放される。カバー５４は前壁５４ａと、一対の側壁５４ｂとを有する。両側壁５４ｂは、互いに同一軸線上に配置された一対の軸孔５４ｃを有する。これら軸孔５４ｃは前記支軸５５ａに対応する。両側壁５４ｂは、一対の係合孔５４ｄを有する。これら係合孔５４ｄは前記突起１３ｃに対応する。両側壁５４ｂは、その後端に突起５４ｅを更に有する。これら突起５４ｅは前記凹部１３ｅに対応する。前壁５４ａはその表面に、断面鋸刃状をなす滑り止め５４ｆを有する。
【００５４】
従って、カバー５４はその軸孔５４ｃが対応する支軸５５ａに填め込まれることにより、ハウジング１３に装着される。カバー５４の滑り止め５４ｆに使用者が指を当て力を加えることにより、カバー５４は支軸５５ａを中心に回動する。この回動により、カバー５４は、図１２に示すように摘み５３ａを覆う位置と、図１１に示すように摘み５３ａを露出させる位置とに選択的に配置される。つまり、カバー５４が開けられ、或いは閉じられる。この実施の形態はこれらの点で前記第１の実施の形態と構成が異なる。
【００５５】
この実施の形態の構成によれば、カバー５４が開けられると、摘み５３ａの外部からの操作が許容される。このため、手動ピン５３を操作するには、図１１に示すように、カバー５４を支軸５５ａを中心に回動させる。これに対し、図１２に示すように、カバー５４が閉じられると、摘み５３ａの外部からの操作が阻止される。
【００５６】
従って、この実施の形態では、前記第１の実施の形態と同様、スプール弁４を強制的に駆動させると否とに拘わらず、摘み５３ａの操作がカバー５４により規制される。このため、使用者が誤って摘み５３ａに触るおそれがなく、手動ピン５３の誤操作を確実に防止することができる。この意味で、手動ピン５３の誤操作に基づく電磁弁５１の誤作動の発生を確実に防止することができる。
【００５７】
この実施の形態では、図１２に示すようにカバー５４が閉じられたときに、その側壁５４ｂの係合孔５４ｄが段部１３ａの突起１３ｃに係合し、カバー５４の自由な回動が規制される。このため、閉じられたカバー５４が、電磁弁５１の振動に起因してがたついたり、独りでに回動して開いたりすることがない。その意味で、カバー５４の振動騒音や、手動ピン５３の誤操作を未然に防止することができる。
【００５８】
この実施の形態では、図１１に示すように、カバー５４が開けられたときに、その側壁５４ｂの突起５４ｅが段部１３ｄの凹部１３ｅに係合し、カバー５４の自由な回動が規制される。このため、開かれたカバー５４が、電磁弁５１の振動に起因してがたついたり、独りでに回動して閉じたりすることがない。その意味で、電磁弁５１の振動騒音や、手動ピン５３の操作忘れを未然に防止することができる。
【００５９】
この実施の形態でも、摘み５３ａがレバー５３ｂを含む。このため、前記第１の実施の形態と同様、従来の手動ボタン８７や手動摘み８９とは異なり、手動装置５２に関する操作性の向上と、誤動作回避との両立を図ることができる。
【００６０】
この実施の形態でも、図１９に示すように、多数の電磁弁５１Ａ，５１Ｂ，５１Ｃ，５１Ｄ，５１Ｅ，５１Ｆがマニホールドベース４３上に並列に配置される場合が考えられる。この場合にも、ある一つの電磁弁５１Ｃのカバー５４が開けられたとき、その配置が他の配置と異なることが目印となる。このため、前記第１の実施の形態と同様、多数の電磁弁５１Ａ〜５１Ｆを並列に配置して使用する場合において、手動ピン５３が操作されたところの特定の電磁弁５１Ｃを容易に判別することができ、ひいては手動ピン５３の操作性を向上させることができる。
【００６１】
この実施の形態におけるその他の作用及び効果については、前記第１の実施の形態のそれと基本的に同じである。
【００６２】
（第３の実施の態様）
この発明に係る電磁弁の手動装置を具体化した第３の実施の形態を図２０〜図２６に従って説明する。尚、この実施の形態において、前記第２の実施の形態と同一の構成部材については、同一の符号を付して説明を省略する。従って、以下には主に第２の実施の形態と異なる点を中心に説明する。
【００６３】
図２０はこの実施の形態のカバー６１の断面を示す。図２１はカバー６１を図２０の矢印Ｅの方向から視た図を示す。図２２はカバー６１を図２０の矢印Ｆの方向から視た図を示す。図２０〜２２に示すように、カバー６１は断面チャネル状をなし、その前側が閉塞され、その後側は解放される。カバー６１は前壁６１ａと、一対の側壁６１ｂとを有する。両側壁６１ｂは、互いに同一軸線上に配置された一対の軸孔６１ｃを有する。これら軸孔６１ｃは前記支軸５５ａに対応する。このカバー６１は、その内側に肉厚部６１ｄと、切欠部６１ｅとを有する。これら肉厚部６１ｄ及び切欠部６１ｅの配置は、後述するように摘み５３ａの配置に対応する。
【００６４】
図２３，２５はピストンハウジング１３の平面図を示す。図２４は図２３に対応するカバー６１の状態を示す。図２６は図２５に対応するカバー６１の状態を示す。手動ピン５３は、図２３に示すようにレバー５３ｂが突壁５５の一側に係合する非作動位置と、図２５に示すようにレバー５３ｂが突壁５５の他側に係合する作動位置との間で切り換え配置される。図２３に示すように、レバー５３ｂが非作動位置に配置されたとき、カバー６１が閉じられることにより、図２４に示すように、カバー６１の切欠部６１ｅがレバー５３ｂに整合することになる。即ち、レバー５３ｂが切欠部６１ｅの中に入り込む。一方、図２５に示すように、レバー５３ｂが作動位置に配置されたとき、カバー６１が閉じられることにより、図２６に示すように、カバー６１の肉厚部６１ｄがレバー５３ｂと干渉することになる。上記カバー６１及び手動ピン５３は、本実施の形態の手動装置６２を構成する。
【００６５】
従って、この実施の形態の構成によれば、図２３に示すように、手動ピン５３のレバー５３ｂが非作動位置に配置された状態では、図２４に示すように、カバー６１がレバー５３ｂと干渉することがなく、カバー６１は完全に閉じられる。このため、スプール弁４をソレノイド弁５のオン・オフ制御に基づいて駆動させるために摘み５３ａを操作したときには、外部からの摘み５３ａの操作がカバー６１により規制される。このため、使用者が誤って摘み５３ａに触るおそれがなく、手動ピン５３の誤操作を確実に防止することができる。この意味で、手動ピン５３の誤操作にも基づき、スプール弁４が誤って強制的に駆動されることを防止することができる。
【００６６】
一方、図２５に示すように、手動ピン５３のレバー５３ｂが作動位置に配置された状態では、図２６に示すように、カバー６１の肉厚部６１ｅがレバー５３ｂと干渉することになり、カバー６１が半閉じ状態となる。このため、スプール弁４をソレノイド弁５のオン・オフ制御から独立して強制的に駆動させるために摘み５３ａを操作し、上記のようにカバー６１を半閉じ状態に配置したとする。この場合には、外部からの摘み５３ａの操作がカバー６１により規制されるとともに、カバー６１の半閉じ状態が手動ピン５３の操作状態を示す目印となる。このため、使用者が誤って摘み５３ａに触るおそれがなく、手動ピン５３の誤操作を防止することができ、スプール弁４の強制的駆動の設定が誤って解除されることが防止される。併せて、一見して分かり難い手動ピン５３の操作状態を、カバー６１の配置を通じて容易に判別することができる。この意味で、手動ピン５３の操作性を向上させることができる。
【００６７】
この実施の形態におけるその他の作用及び効果については、前記第２の実施の形態のそれと基本的に同じである。
【００６８】
（第４の実施の態様）
この発明に係る電磁弁の手動装置を具体化した第４の実施の形態を図２７〜図３１に従って説明する。尚、この実施の形態において、前記第３の実施の形態と同一の構成部材については、同一の符号を付して説明を省略する。従って、以下には主に第３の実施の形態と異なる点を中心に説明する。
【００６９】
図２７はこの実施の形態のカバー７１の底面図を示す。カバー７１は断面コの字状をなし、その前側が閉塞され、その後側は解放される。カバー７１は前壁７１ａと、一対の側壁７１ｂとを有する。両側壁７１ｂは、互いに同一軸線上に配置された一対の軸孔７１ｃを有する。このカバー７１は、その内側片側に凸部７１ｄを有する。この凸部７１ｄの位置は、後述するように摘み５３ａの配置に対応する。
【００７０】
図２８，３０はピストンハウジング１３の平面図を示す。この実施の形態において、ハウジング１３に対する手動ピン５３の配置は、前述した各実施の形態のそれに対して約９０度回転される。ハウジング１３は上側面に、上記までのものとは異なる段部７２を有する。この段部７２はその中央に凹部７２ａを有する。摘み５３ａはその凹部７２ａの中に内包される。この凹部７２ａは、図２８，３０に示すように、手動ピン５３の回動範囲を規制するために摘み５３ａのレバー５３ｂと係合する。即ち、手動ピン５３は、図２８に示すようにレバー５３ｂが凹部７２ａの一部位に係合する非作動位置と、図３０に示すようにレバー５３ｂが凹部７２ａの他の部位に係合する作動位置との間で切り換え配置される。レバー５３ｂが上記作動位置に配置されることにより、アクチュエータ部３におけるソレノイド弁５のオン・オフ制御から独立してスプール弁４が強制的に駆動される。段部７２は、互いに同一軸線上に配置された一対の支軸７２ｂａを有する。この支軸７２ｂは前述した軸孔７１ｃに対応する。
【００７１】
図２９は図２８に対応するカバー７１の状態を示す。図３１は図３０に対応するカバー７１の状態を示す。手動ピン５３は、図２８に示すようにレバー５３ｂが凹部７２ａの一部位に係合する非作動位置と、図３０に示すようにレバー５３ｂが凹部７２ａの他の部位に係合する作動位置との間で切り換え配置される。図２８に示すように、レバー５３ｂが非作動位置に配置されたとき、カバー７１が閉じられることにより、図２９に示すように、カバー７１の凸部７１ｄはレバー５３ｂと干渉することなく段部７２に整合することになる。一方、図３０に示すように、レバー５３ｂが作動位置に配置されたとき、カバー７１が閉じられることにより、図３１に示すように、カバー７１の凸部７１ｄがレバー５３ｂと干渉することになる。上記カバー７１及び手動ピン５３は、本実施の形態の手動装置７３を構成する。
【００７２】
従って、この実施の形態の構成によれば、図２８に示すように、手動ピン５３のレバー５３ｂが非作動位置に配置された状態では、図２９に示すように、カバー７１の凸部７１ｄがレバー５３ｂと干渉することがなく、カバー７１が完全に閉じられる。このため、スプール弁４をソレノイド弁５のオン・オフ制御に基づいて駆動させるために摘み５３ａが操作されたときには、外部からの摘み５３ａの操作がカバー７１により規制される。一方、図３０に示すように、手動ピン５３のレバー５３ｂが作動位置に配置された状態では、図３１に二点鎖線で示すように、カバー７１の凸部７１ｄがレバー５３ｂと干渉することになり、カバー７１が半閉じ状態となる。このように、本実施の形態では、手動ピン５３が非作動位置に配置されたときには、カバー７１を完全に閉じることができ、手動ピン５３が作動位置に配置されたときには、カバー７１を半閉じ状態に配置することができる。このため、本実施の形態においても、前記第３の実施の形態と同様の作用及び効果を得ることができる。
【００７３】
尚、この発明は前記各実施の形態に限定されるものではなく、発明の趣旨を逸脱しない範囲において以下のように実施することもできる。
【００７４】
（１）前記各実施の形態では、切換弁部２の片側のみに一つのアクチュエータ部３を配置した電磁弁１，５１に具体化した。これに対し、切換弁部の両側に一対のアクチュエータ部を配置した電磁弁に具体化してもよい。
【００７５】
（２）前記各実施の形態では、摘み７ｂ，５３ａにレバー７ｃ，５３ｂを有する手動ピン７，５３を操作部材とした。これに対し、従来の手動ボタン８７又は手動摘み８９を操作部材としてもよい。或いは、操作部材をピストンハウジング１３の上面から突出して押圧操作されるボタンを含むものとしてもよい。
【００７６】
（３）前記第１及び第２の実施の形態では、図１０，１９に示すように、互いに隣接して多数配列された電磁弁１Ａ〜１Ｆ，５１Ａ〜５１Ｆにつき、個々の電磁弁１Ａ〜１Ｆ，５１Ａ〜５１Ｆのそれぞれに手動ピン７，５３及びカバー８，５４を設けた。これに対して、互いに隣接して多数配列された電磁弁につき、個々の電磁弁のそれぞれに手動ピンやボタン等の操作部材を設け、カバーについては二つ、三つ等を一組とし、その組毎に一つのカバーを設けるようにしてもよい。
【００７７】
【発明の効果】
第１の発明の構成によれば、電磁弁の弁体を駆動するために外部から操作される操作部材にカバーを設け、そのカバーを、操作部材を覆う位置と、操作部材を露出させる位置とに選択的に配置するようにしている。従って、カバーが操作部材を覆う位置に配置されることにより、操作部材の外部からの操作が阻止され、カバーが操作部材を覆わない位置に配置されることにより、外部からの操作部材の操作が許容される。このため、カバーにより操作部材の誤操作を確実に防止することができるというう効果を発揮する。
【００７８】
第２の発明の構成によれば、第１の発明の構成において、操作部材がその作動位置に配置されたときに、カバーが操作部材に係合するようにし、操作部材がその非作動位置に配置されたときに、カバーが操作部材を覆うようにしている。従って、第１の発明の作用及び効果に加え、操作部材が非作動位置に配置されたとき、操作部材の操作がカバーにより規制される。操作部材が作動位置に配置されたとき、操作部材を覆うためのカバーの配置が規制され、操作部材の操作状態がカバーの配置によって区別される。このため、操作部材の操作の有無をカバーの配置により容易に判別することができるという効果を発揮する。
【００７９】
第３の発明の構成によれば、第１又は第２の発明の構成において、操作部材の一部を切換弁部又はアクチュエータ部の外方へ突出して配置し、外部から操作されるようにしている。従って、第１又は第２の発明の作用及び効果に加え、操作部材の操作が容易となり、その操作部材の誤操作を回避するために操作部材を触り難い小さなものとする必要がない。このため、操作部材を大きくして触り易く操作のし易いものにすることができ、その操作部材の誤操作についてはカバーにより確実に回避することができるという効果を発揮する。
【００８０】
第４の発明の構成によれば、第１又は第２の発明の構成において、操作部材に摘みを設け、その摘みに操作部材を回動操作するためのレバーを設けている。従って、第１又は第２の発明の作用及び効果に加え、摘みの操作がレバーにより容易となり、その一方で、摘みがカバーに覆われたときには、その操作が確実に阻止される。このため、手動装置の操作性の向上と、誤動作の回避との両立を図ることができるという効果を発揮する。
【００８１】
第５の発明の構成によれば、第１乃至第４の発明の何れか一つの構成において、互いに隣接して配置される複数の電磁弁のそれぞれに操作部材を個別に設け、少なくとも一つの電磁弁毎に一つのカバーを設けている。従って、第１乃至第４の発明の何れか一つの作用及び効果に加え、特定の電磁弁につきその操作部材が操作されたときに、対応するカバーの配置が目印となり、複数の電磁弁の中で、操作部材が操作された電磁弁が視覚的に容易に特定される。このため、複数の電磁弁の中で操作部材が操作された電磁弁を容易に判別することができ、ひいては操作部材の操作性を向上させることができるという効果を発揮する。
【図面の簡単な説明】
【図１】  本発明の電磁弁の手動装置を具体化した第１の実施の形態に係り、電磁弁の外観を示す斜視図である。
【図２】  第１の実施の形態に係り、同じく電磁弁の外観を示す斜視図である。
【図３】  第１の実施の形態に係り、電磁弁の全体構造を示す断面図である。
【図４】  第１の実施の形態に係り、電磁弁の構造の一部を示す断面図である。
【図５】  第１の実施の形態に係り、手動装置を含むピストンハウジングを示す分解斜視図である。
【図６】  第１の実施の形態に係り、ピストンハウジングを示す平面図である。
【図７】  第１の実施の形態に係り、ピストンハウジングの上部を図６の矢印Ａの方向から視た図である。
【図８】  第１の実施の形態に係り、カバーを示す側面図である。
【図９】  第１の実施の形態に係り、カバーを図８の矢印Ｂ方向から視た図である。
【図１０】  第１の実施の形態に係り、多数の電磁弁がマニホールドベース上に並列に配置された状態を示す斜視図である。
【図１１】  本発明の電磁弁の手動装置を具体化した第２の実施の形態に係り、電磁弁の外観を示す斜視図である。
【図１２】  第２の実施の形態に係り、同じく電磁弁の外観を示す斜視図である。
【図１３】  第２の実施の形態に係り、手動装置を含むピストンハウジングを示す分解斜視図である。
【図１４】  第２の実施の形態に係り、ピストンハウジングを示す平面図である。
【図１５】  第２の実施の形態に係り、ピストンハウジングを示す側面図である。
【図１６】  第２の実施の形態に係り、カバーを示す断面図である。
【図１７】  第２の実施の形態に係り、カバーを図１６の矢印Ｃの方向から視た図である。
【図１８】  第２の実施の形態に係り、カバーを図１６の矢印Ｄの方向から視た図である。
【図１９】  第２の実施の形態に係り、多数の電磁弁がマニホールドベース上に並列に配置された状態を示す斜視図である。
【図２０】  本発明の電磁弁の手動装置を具体化した第３の実施の形態に係り、カバーを示す断面図である。
【図２１】  第３の実施の形態に係り、カバーを図２０の矢印Ｅの方向から視た図である。
【図２２】  第３の実施の形態に係り、カバーを図２０の矢印Ｆの方向から視た図である。
【図２３】  第３の実施の形態に係り、ピストンハウジングを示す平面図である。
【図２４】  第３の実施の形態に係り、図２３に対応した手動装置の状態を示す断面図である。
【図２５】  第３の実施の形態に係り、ピストンハウジングを示す平面図である。
【図２６】  第３の実施の形態に係り、図２５に対応した手動装置の状態を示す断面図である。
【図２７】  本発明の電磁弁の手動装置を具体化した第４の実施の形態に係り、カバーを示す底面図である。
【図２８】  第４の実施の形態に係り、ピストンハウジングを示す平面図である。
【図２９】  第４の実施の形態に係り、図２８に対応した手動装置の状態を示す断面図である。
【図３０】  第４の実施の形態に係り、ピストンハウジングを示す平面図である。
【図３１】  第４の実施の形態に係り、図３０に対応した手動装置の状態を示す断面図である。
【図３２】  従来の電磁弁の外観を示す斜視図である。
【図３３】  従来の電磁弁の外観を示す斜視図である。
【符号の説明】
１，５１              電磁弁
２                    切換弁部
３                    アクチュエータ部
４                    弁体としてのスプール弁
６，５２，６２，７３  手動装置
７，５３              操作部材としての手動ピン
７ａ                  軸部
７ｂ，５３ａ          摘み
７ｃ，５３ｂ          レバー
８，５４，６１，７１  カバー
６１ｄ                肉厚部
【図１】
0003883640.tif 000002
【図２】
0003883640.tif 000003
【図３】
0003883640.tif 000004
【図４】
0003883640.tif 000005
【図５】
0003883640.tif 000006
【図６】
0003883640.tif 000007
【図７】
0003883640.tif 000008
【図８】
0003883640.tif 000009
【図９】
0003883640.tif 000010
【図１０】
0003883640.tif 000011
【図１１】
0003883640.tif 000012
【図１２】
0003883640.tif 000013
【図１３】
0003883640.tif 000014
【図１４】
0003883640.tif 000015
【図１５】
0003883640.tif 000016
【図１６】
0003883640.tif 000017
【図１７】
0003883640.tif 000018
【図１８】
0003883640.tif 000019
【図１９】
0003883640.tif 000020
【図２０】
0003883640.tif 000021
【図２１】
0003883640.tif 000022
【図２２】
0003883640.tif 000023
【図２３】
0003883640.tif 000024
【図２４】
0003883640.tif 000025
【図２５】
0003883640.tif 000026
【図２６】
0003883640.tif 000027
【図２７】
0003883640.tif 000028
【図２８】
0003883640.tif 000029
【図２９】
0003883640.tif 000030
【図３０】
0003883640.tif 000031
【図３１】
0003883640.tif 000032
【図３２】
0003883640.tif 000033
【図３３】
0003883640.tif 000034